【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
第１の計算処理デバイスが第１のトリガ・イベントを受け取ること、
前記第１の計算処理デバイスが前記第１のトリガ・イベントに応答して、前記第１の計算処理デバイスの第１のデバイス・データに変更が加えられているかどうか判定すること、および
前記変更が加えられていると判定された場合には、経路指定システムに前記変更を指示する変更標識を転送すること
を含む方法であって、
前記変更が、第２の計算処理デバイスによって受け取られ、非同期的にトリガする第２のデバイス・トリガに応答して前記第２の計算処理デバイスの第２のデバイス・データと同期させられる方法。
【請求項２】
前記第１の計算処理デバイスと前記第２の計算処理デバイスの少なくとも一方がパーソナル・コンピュータ、ＰＤＡ、ＰＩＭおよび携帯電話を含むグループから選択される請求項１に記載の方法。
【請求項３】
前記第１のトリガ・イベントが前記第１のデバイス・データへの変更を含む請求項１に記載の方法。
【請求項４】
前記変更標識が同期メッセージを含む請求項１に記載の方法。
【請求項５】
前記同期メッセージが前記変更に対応する変更済みデータを含む請求項４に記載の方法。
【請求項６】
前記同期メッセージが、前記第１のデバイス・データの第１の計算処理デバイス・バージョンを指示する第１のバージョン標識と、前記第２のデバイス・データの第２の計算処理デバイス・バージョンを指示する第２のバージョン標識の少なくとも一方を含む請求項４に記載の方法。
【請求項７】
前記経路指定システムが、前記第１の計算処理デバイスと前記第２の計算処理デバイスからアクセス可能な記憶デバイスを含む請求項１に記載の方法。
【請求項８】
前記記憶デバイスが、前記第１の計算処理デバイスから第１のデバイス変更標識を受け取り、前記第１のデバイス変更標識を前記第２のデバイスに転送する第１の待ち行列と、前記第２の計算処理デバイスから第２のデバイス変更標識を受け取り、前記第２のデバイス変更標識を前記第１のデバイスに転送する第２の待ち行列とを含む請求項７に記載の方法。
【請求項９】
前記経路指定システムが、前記第１の計算処理デバイスと前記第２の計算処理デバイスがネットワークを介して結合可能なネットワーク・サーバを含む請求項１に記載の方法。
【請求項１０】
前記ネットワークがインターネットを含む請求項９に記載の方法。
【請求項１１】
前記第２のトリガ・イベントが、第２のデバイスの電源オンおよび周期的に開始される第２のデバイス・トリガを含むグループから選択される請求項１に記載の方法。
【請求項１２】
第１の計算処理デバイスが第１のトリガ・イベントを受け取る手段と、
第１の計算処理デバイスが前記第１のトリガ・イベントに応答して、前記第１の計算処理デバイスの第１のデバイス・データに変更が加えられているかどうか判定する手段と、
前記変更が加えられていると判定された場合には、経路指定システムに前記変更を指示する変更標識を転送する手段と
を含む同期システムであって、
前記変更は、第２の計算処理デバイスによって受け取られ、非同期的にトリガする第２のデバイス・トリガに応答して前記第２のデバイスの第２のデバイス・データと同期させられる同期システム。
【請求項１３】
コンピュータに、
第１の計算処理デバイスが第１のトリガ・イベントを受け取るステップと、
前記第１の計算処理デバイスが前記第１のトリガ・イベントに応答して、前記第１の計算処理デバイスの第１のデバイス・データに変更が加えられているかどうか判定するステップと、
前記変更が加えられていると判定された場合には、経路指定システムに前記変更を指示する変更標識を転送するステップと
を実施させるプログラム・コードを記憶するコンピュータ可読記憶媒体であって、
前記変更が、第２の計算処理デバイスによって受け取られ、非同期的にトリガする第２のデバイス・トリガに応答して前記第２のデバイスの第２のデバイス・データと同期させられるコンピュータ可読記憶媒体。
【請求項１４】
第１の計算処理デバイスが第１のトリガ・イベントを受け取ること、
前記第１の計算処理デバイスが経路指定システムから切断されている場合には、前記第１の計算処理デバイスが前記経路指定システムに接続することによって前記第１のトリガ・イベントに応答すること、
前記第１の計算処理デバイスが前記経路指定システムから、第２の計算処理デバイスの非同期的にトリガする第２のデバイス・トリガに応答して前記経路指定システムに転送された、前記第２の計算処理デバイスの第２のデバイス・データへの変更を指示する変更標識を受け取ること、および
前記第１の計算処理デバイスが、前記第２の計算処理デバイスの前記第２のデバイス・データを、前記第１の計算処理デバイスの対応する第１のデバイス・データと同期させること
を含む方法。
【請求項１５】
前記第１の計算処理デバイスと前記第２の計算処理デバイスの少なくとも一方が、パーソナル・コンピュータ、ＰＤＡ、ＰＩＭ、携帯電話を含むグループから選択される請求項１３に記載の方法。
【請求項１６】
前記第１のトリガ・イベントが、第１の計算処理デバイスの電源オンと周期的に開始される第１のデバイス・トリガを含むグループから選択される請求項１３に記載の方法。
【請求項１７】
前記変更標識が同期メッセージを含む請求項１３に記載の方法。
【請求項１８】
前記同期メッセージが前記変更に対応する変更済みデータを含む請求項１５に記載の方法。
【請求項１９】
前記同期メッセージが、前記第１のデバイス・データの第１の計算処理デバイス・バージョンを指示する第１のバージョン標識と、前記第２のデバイス・データの第２の計算処理デバイス・バージョンを指示する第２のバージョン標識の少なくとも一方を含む請求項１５に記載の方法。
【請求項２０】
前記経路指定システムが、前記第１の計算処理デバイスと前記第２の計算処理デバイスからアクセス可能な記憶デバイスを含む請求項１３に記載の方法。
【請求項２１】
前記記憶デバイスが、前記第１の計算処理デバイスから第１のデバイス変更標識を受け取り、前記第１のデバイス変更標識を前記第２のデバイスに転送する第１の待ち行列と、前記第２の計算処理デバイスから第２のデバイス変更標識を受け取り、前記第２のデバイス変更標識を前記第１のデバイスに転送する第２の待ち行列とを含む請求項２０に記載の方法。
【請求項２２】
前記経路指定システムが、前記第１の計算処理デバイスと前記第２の計算処理デバイスがネットワークを介して結合可能なネットワーク・サーバを含む請求項１３に記載の方法。
【請求項２３】
前記ネットワークがインターネットを含む請求項２２に記載の方法。
【請求項２４】
前記第２のトリガ・イベントが前記第２のデバイス・データへの変更を含む請求項１３に記載の方法。
【請求項２５】
第１の計算処理デバイスが第１のトリガ・イベントを受け取る手段と、
前記第１の計算処理デバイスが前記第１のトリガ・イベントに応答して、経路指定システムから切断されている場合には、前記第１の計算処理デバイスが前記経路指定システムに接続する手段と、
前記第１の計算処理デバイスが前記経路指定システムから、第２の計算処理デバイスの非同期的にトリガする第２のデバイス・トリガに応答して前記経路指定システムに転送された前記第２の計算処理デバイスの第２のデバイス・データへの変更を指示する変更標識を受け取る手段と、
前記第１の計算処理デバイスが、前記第２の計算処理デバイスの前記第２のデバイス・データを、前記第１の計算処理デバイスの対応する第１のデバイス・データに同期させること
を含むシステム。
【請求項２６】
コンピュータに、
第１の計算処理デバイスが第１のトリガ・イベントを受け取るステップと、
前記第１の計算処理デバイスが前記第１のトリガ・イベントに応答して、経路指定システムから切断されている場合には、前記第１の計算処理デバイスが前記経路指定システムに接続するステップと、
前記第１の計算処理デバイスが前記経路指定システムから、第２の計算処理デバイスの非同期的にトリガする第２のデバイス・トリガに応答して前記経路指定システムに転送された前記第２の計算処理デバイスの第２のデバイス・データへの変更を指示する変更標識を受け取るステップと、
前記第１の計算処理デバイスが、前記第２の計算処理デバイスの前記第２のデバイス・データを、前記第１の計算処理デバイスの対応する第１のデバイス・データと同期させるステップと
を実施させるプログラム・コードを記憶するコンピュータ可読記憶媒体。
【請求項２７】
第１のユーザ・デバイスが第１のトリガ・イベントを受け取ること、
前記第１のユーザ・デバイスが、前記第１の計算処理デバイスのデータ要素に変更が加えられているかどうか判定し、変更が加えられている場合には、前記第１のトリガ・イベントに応答して、経路指定システムに前記変更を指示する変更標識を転送すること、
第２の計算処理デバイスが、前記第１のトリガ・イベントと時間的に無関係な第２のトリガ・イベントを受け取ること、および
前記第２の計算処理デバイスが、前記経路指定システムから前記変更標識を受け取り、前記変更を前記第２のユーザ・デバイスに記憶されたデータと同期させることによって前記第２のトリガ・イベントに応答すること
を含む方法。
【請求項２８】
経路指定システムが、第１のデバイス・トリガに応答して動作している第１の計算処理デバイスから、前記第１の計算処理デバイスの第１のデバイス・データへの変更を指示する変更標識を受け取ること、
前記経路指定システムが前記変更標識を記憶すること、
前記経路指定システムが、前記第１のデバイス・トリガに関して非同期的にトリガする第２のデバイス・トリガに応答して動作している第２の計算処理デバイスから、前記第２の計算処理デバイスからの転送要求を受け取ること、および
前記経路指定システムが、前記第２の計算処理デバイスに前記変更標識を転送することによって前記転送要求に応答すること
を含む方法であって、
前記変更が、前記第２の計算処理デバイスによって受け取られ、前記第２の計算処理デバイスの第２のデバイス・データと同期させられる方法。
【請求項２９】
前記第１の計算処理デバイスと前記第２の計算処理デバイスの少なくとも一方が、パーソナル・コンピュータ、ＰＤＡ、ＰＩＭ、携帯電話を含むグループから選択される請求項２７に記載の方法。
【請求項３０】
前記第１のトリガ・イベントが前記第１のデバイス・データへの変更を含む請求項２７に記載の方法。
【請求項３１】
前記変更標識が同期メッセージを含む請求項２７に記載の方法。
【請求項３２】
前記同期メッセージが前記変更に対応する変更済みデータを含む請求項３１に記載の方法。
【請求項３３】
前記同期メッセージが、前記第１のデバイス・データの第１の計算処理デバイス・バージョンを指示する第１のバージョン標識と前記第２のデバイス・データの第２の計算処理デバイス・バージョンを指示する第２のバージョン標識の少なくとも一方を含む請求項３１に記載の方法。
【請求項３４】
前記経路指定システムが、前記第１の計算処理デバイスおよび前記第２の計算処理デバイスからアクセス可能な記憶デバイスを含む請求項２７に記載の方法。
【請求項３５】
前記記憶デバイスが、前記第１の計算処理デバイスから第１のデバイス変更標識を受け取り、前記第１のデバイス変更標識を前記第２のデバイスに転送する第１の待ち行列と、前記第２の計算処理デバイスから第２のデバイス変更標識を受け取り、前記第２のデバイス変更標識を前記第１のデバイスに転送する第２の待ち行列とを含む請求項３４に記載の方法。
【請求項３６】
前記経路指定システムが、前記第１の計算処理デバイスと前記第２の計算処理デバイスがネットワークを介して結合可能なネットワーク・サーバとを含む請求項２７に記載の方法。
【請求項３７】
前記ネットワークがインターネットを含む請求項３５に記載の方法。
【請求項３８】
前記第２のトリガ・イベントが、第２のデバイスの電源オンと、周期的に開始される第２のデバイス・トリガを含むグループから選択される請求項２７に記載の方法。
【請求項３９】
経路指定システムが、第１のデバイス・トリガに応答して動作している第１の計算処理デバイスから、前記第１の計算処理デバイスの第１のデバイス・データへの変更を指示する変更標識を受け取る手段と、
前記経路指定システムが前記変更標識を記憶する手段と、
前記経路指定システムが、前記第１のデバイス・トリガに関して非同期的にトリガする第２のデバイス・トリガに応答して動作している第２の計算処理デバイスから、前記第２の計算処理デバイスからの転送要求を受け取る手段と、
前記経路指定システムが、前記第２の計算処理デバイスに前記変更標識を転送することによって前記転送要求に応答する手段と
を含むシステムであって、
前記変更が、前記第２の計算処理デバイスによって受け取られ、前記第２の計算処理デバイスの第２のデバイス・データと同期させられるシステム。
【請求項４０】
コンピュータに、
経路指定システムが、第１のデバイス・トリガに応答して動作している第１の計算処理デバイスから、前記第１の計算処理デバイスの第１のデバイス・データへの変更を指示する変更標識を受け取るステップと、
前記経路指定システムが前記変更標識を記憶するステップと、
前記経路指定システムが、前記第１のデバイス・トリガに関して非同期的にトリガする第２のデバイス・トリガに応答して動作している第２の計算処理デバイスから、前記第２の計算処理デバイスからの転送要求を受け取るステップと、
前記経路指定システムが前記転送要求に応答して、前記第２の計算処理デバイスに前記変更標識を転送するステップと
を実施させるプログラム・コードを記憶するコンピュータ可読記憶媒体であって、
前記変更が、前記第２の計算処理デバイスによって受け取られ、前記第２の計算処理デバイスの第２のデバイス・データと同期させられるコンピュータ可読記憶媒体。